(57)【要約】【課題】着脱可能な研磨布紙が作業中にはがれにくいカップ型回転研磨工具を提供する。【解決手段】円筒状本体１２の外周壁を貫通し且つ円筒状本体１２の回転中心線Ｃに平行な方向に形成された長手状切欠き２０と、円筒状本体１２の内周面のうちの少なくとも長手状切欠き２０に隣接する面に固着された第１面ファスナ２２と、研磨布紙１４の内周面の端部に固着され、研磨布紙１４の端部が長手状切欠き２０を通して円筒状本体１２内に引き込まれた状態で第１面ファスナ２２と接着させられる第２面ファスナ２６とが、設けられている。カップ型回転研磨工具１０の回転により発生する遠心力が研磨布紙１４の端部を円筒状本体１２の内周面に押しつけて、第２面ファスナ２６と第１面ファスナ２２との間の接着力が高められるので、研磨作業中において研磨布紙１４のはがれにくいカップ型回転研磨工具１０が得られる。【選択図】図１
0003226314.tif 000002
【実用新案登録請求の範囲】
【請求項１】
円筒状本体の外周面に巻き付けられた研磨布紙により研磨を行なうカップ型回転研磨工具であって、
前記円筒状本体の外周壁を貫通し且つ前記円筒状本体の回転中心線に平行な方向に形成された長手状切欠きと、
前記円筒状本体の内周面のうちの前記長手状切欠きに隣接する面に固着された第１面ファスナと、
前記研磨布紙の裏面の端部に固着され、前記研磨布紙の端部が前記長手状切欠きを通して前記円筒状本体内に引き込まれた状態で前記第１面ファスナと接着させられる第２面ファスナとを、含む
ことを特徴とするカップ型回転研磨工具。
【請求項２】
前記第２面ファスナは、前記研磨布紙の裏面の両端部にそれぞれ固着された一対の面ファスナである
ことを特徴とする請求項１のカップ型回転研磨工具。
【請求項３】
前記円筒状本体の外周面に固着された第３面ファスナと、
前記研磨布紙の裏面のうちの一対の前記第２面ファスナの間に前記第２面ファスナと連続して又は隔離して固着され、前記研磨布紙が前記円筒状本体の外周側に巻き付けられた状態で前記第３面ファスナと接着させられる第４面ファスナとを、含む、
ことを特徴とする請求項２のカップ型回転研磨工具。
【請求項４】
前記円筒状本体の外周面と、前記研磨布紙の裏面のうちの一対の前記第２面ファスナの間の裏面との少なくとも一方には、人工皮革が固着されている
ことを特徴とする請求項２のカップ型回転研磨工具。
【請求項５】
前記円筒状本体は、前記回転中心線方向の一端部が開放され、他端部が蓋部により一体的に閉じられ、前記蓋部には、回転駆動装置へ取り付けるためのストレート軸、ねじ軸、または取付穴が前記回転中心線と同芯に設けられている
ことを特徴とする請求項１から４のいずれか１のカップ型回転研磨工具。
【請求項６】
前記研磨布紙の裏面において、前記研磨布紙の裏面の両端部に設けられた一対の前記第２面ファスナと前記第４面ファスナとの間には、前記円筒状本体の外周壁の肉厚以上の間隔が設けられている
ことを特徴とする請求項３のカップ型回転研磨工具。
【請求項７】
前記円筒状本体を構成する外周壁には、前記長手状切欠きに隣接した肉厚部が形成され、前記肉厚部の前記長手状切欠き側の肉厚は、前記長手状切欠きから周方向に離れるほど大きくなり、前記肉厚部の前記長手状切欠き側の内周面の径は、前記長手状切欠きから周方向に離れるほど小さくなるように形成されている
ことを特徴とする請求項１から５のいずれか１のカップ型回転研磨工具。
【考案の詳細な説明】
【技術分野】
【０００１】
本考案は、小径管材の内周嵌合面のバリ取り作業や仕上げ作業等に有効なカップ型回転研磨工具に関するものである。
【背景技術】
【０００２】
たとえば、比較的小径管材の切断作業時に発生するバリを取り除くためのバリ取り作業などの小径管材の内周嵌合面や、加工穴、成形物の小径穴の内周面を研磨するに作業に際しては、特許文献１に記載された軸付砥石や、特許文献２に記載された軸付フラップホイール等の研磨工具が用いられている。
【先行技術文献】
【特許文献】
【０００３】
【特許文献１】実用新案登録第３０９０１０８号公報
【特許文献２】特開２０１４−２３７２１４号公報
【考案の概要】
【考案が解決しようとする課題】
【０００４】
上記軸付砥石および軸付フラップホイールは、比較的短時間で目潰れ、目詰まり、脱粒が発生して作業性が低下する。しかし、上記軸付砥石および軸付フラップホイールは比較的高額の研磨工具であるために、作業者はコストを低減するために軸付砥石および軸付フラップホイールの取替えを躊躇し、そのまま上記研磨工具を使い続ける傾向があるので、作業性が低下していた。
【０００５】
これに対して、たとえば軸付き円筒体の外周面に、例えば両面接着テープ等を介して研磨布紙を着脱可能に巻き付けることで軸付き研磨工具を構成することが考えられる。これによれば、小径管材の内周嵌合面を研磨するに作業に際して、目潰れ、目詰まり、脱粒が発生して作業性の低下が発生すると、簡単且つ低コストで研磨布紙を交換できるので、作業性が得られるようになると考えられた。しかし、軸付き円筒体の外周面に巻き付けられた研磨布紙に遠心力が加えられると、両面接着テープ等の接着力に抗して、研磨布紙が軸付き円筒体の外周面からはがれるので、未だ目潰れ、目詰まり、脱粒が発生していなくても研磨布紙の交換が必要となるという問題があった。このような問題は、作業性を高めるために軸付き円筒体の回転を高めるほど、顕著に発生する。
【０００６】
本考案は以上の事情を背景として為されたものであり、その目的とするところは、着脱可能な研磨布紙のはがれにくいカップ型回転研磨工具を提供することにある。
【０００７】
本考案者等は、上記事情を背景として種々検討を重ねた結果、カップ型回転研磨工具の円筒状本体の内側に研磨布紙の端部を引き込み、その研磨布紙の端部を円筒状本体の内周面に接着するようにすると、カップ型回転研磨工具の回転を高めても、研磨布紙のはがれが発生しないことを見いだした。カップ型回転研磨工具の回転により発生する遠心力が研磨布紙の端部を円筒状本体の内周面に押しつけるので、研磨布紙の端部の接着力が高められると推定される。本考案はかかる知見に基づいてなされたものである。
【課題を解決するための手段】
【０００８】
すなわち、本考案の要旨とするところは、（ａ）円筒状本体の外周面に巻き付けられた研磨布紙により研磨を行なうカップ型回転研磨工具であって、（ｂ）前記円筒状本体の外周壁を貫通し且つ前記円筒状本体の回転中心線に平行な方向に形成された長手状切欠きと、（ｂ）前記円筒状本体の内周面のうちの前記長手状切欠きに隣接する面に固着された第１面ファスナと、（ｃ）前記研磨布紙の端部の内周面に固着され、前記研磨布紙の端部が前記長手状切欠きを通して前記円筒状本体内に引き込まれた状態で前記第１面ファスナと接着させられる第２面ファスナとを、含むことにある。
【考案の効果】
【０００９】
本考案のカップ型回転研磨工具によれば、（ａ）円筒状本体の外周面に巻き付けられた研磨布紙により研磨を行なうカップ型回転研磨工具であって、（ｂ）前記円筒状本体の外周壁を貫通し且つ前記円筒状本体の回転中心線に平行な方向に形成された長手状切欠きと、（ｂ）前記円筒状本体の内周面のうちの前記長手状切欠きに隣接する面に固着された第１面ファスナと、（ｃ）前記研磨布紙の裏面の端部に固着され、前記研磨布紙の端部が前記長手状切欠きを通して前記円筒状本体内に引き込まれた状態で前記第１面ファスナと接着させられる第２面ファスナとを、含む。このため、カップ型回転研磨工具の回転により発生する遠心力が研磨布紙の裏面の端部を円筒状本体の内周面に押しつけることから、研磨布紙の裏面の端部の第２面ファスナと円筒状本体の内周面に固着された第１面ファスナとの間の接着力が高められるので、研磨作業中において研磨布紙のはがれにくいカップ型回転研磨工具が得られる。その結果、研磨布紙を容易に交換でき、低コストで切れ味のよい研磨作業が可能となる。
【００１０】
ここで、好適には、前記第２面ファスナは、前記研磨布紙の裏面の両端部にそれぞれ固着された一対の面ファスナである。これにより、研磨布紙の裏面の両端部に設けられた第２面ファスナが、円筒状本体の内周面のうちの前記長手状切欠きに隣接する一対の面にそれぞれ固着された一対の第１面ファスナに固定されるので、円筒状本体の外周面からの研磨布紙の浮きがなく、研磨布紙の巻回状態が安定する。
【００１１】
また、好適には、前記カップ型回転研磨工具は、前記円筒状本体の外周面に固着された第３面ファスナと、前記研磨布紙の裏面のうちの一対の前記第２面ファスナの間に固着され、前記研磨布紙が前記円筒状本体の外周側に巻き付けられた状態で前記第３面ファスナと接着させられる第４面ファスナとを、含まれている。このため、研磨布紙は、円筒状本体の外周面に全面的に接着させられるので、円筒状本体の外周面からの研磨布紙の浮きがなく、研磨布紙の巻回状態が安定する。また、上記第３面ファスナおよび第４面ファスナがクッション機能を有するので、研磨作業中の飛び跳ねが緩和されて研磨作業が容易となる。
【００１２】
また、好適には、前記円筒状本体の外周面と、前記研磨布紙の裏面のうちの一対の前記第２面ファスナの間の裏面との少なくとも一方には、人工皮革が固着されている。このため、研磨布紙の裏面および円筒状本体の外周面に面ファスナがなくても、クッション性が得られるので、カップ型回転研磨工具の作業中の飛び跳ねが緩和されて作業が容易となる。
【００１３】
また、好適には、前記円筒状本体は、前記回転中心線方向の一端部が開放され、他端部が蓋部により閉じられ、前記蓋部には、回転駆動装置へ取り付けるためのストレート軸、ねじ軸、または取付穴が前記回転中心線と同芯に設けられている。このため、作業者が用いる回転駆動装置に容易に装着することができる。
【００１４】
また、好適には、前記研磨布紙の裏面において、前記研磨布紙の裏面の両端部に設けられた一対の前記第２面ファスナと前記第４面ファスナとの間には、前記円筒状本体の外周壁の肉厚以上の間隔が設けられている。このため、研磨布紙が円筒状本体の外周面に巻き付けられ、研磨布紙の端部が円筒状本体に形成された長手状切欠きを通して円筒状本体の内周側へ折り込まれるとき、面ファスナがなく厚みが小さな上記間隔の存在により、曲率半径が小さくされるので、円筒状本体の外周面からの研磨布紙の浮きがなく、研磨布紙の巻回状態が安定する。
【００１５】
また、好適には、前記円筒状本体を構成する外周壁には、前記長手状切欠きに隣接した肉厚部が形成され、前記肉厚部の前記長手状切欠き側の肉厚は、前記長手状切欠きから周方向に離れるほど大きくなり、前記肉厚部の前記長手状切欠き側の内周面の径は、前記長手状切欠きから周方向に離れるほど小さくなるように形成されている。このため、研磨布紙の端部が円筒状本体に形成された長手状切欠きを通して円筒状本体の内周側に折り込まれるとき、研磨布紙の曲率半径が大きい状態で第２面ファスナが第１面ファスナと接着させられるので、前記円筒状本体が小径であっても、或いは前記研磨布紙の裏面の両端部に設けられた一対の前記第２面ファスナと前記第４面ファスナとの間に前記円筒状本体の外周壁の肉厚以上の間隔が設けられていなくても、前記円筒状本体の外周面からの研磨布紙の浮きがなく、研磨布紙の巻回状態が安定する。
【図面の簡単な説明】
【００１６】
【図１】本考案の一実施例のカップ型回転研磨工具を示す斜視図である。
【図２】図１のカップ型回転研磨工具が装着される携帯型回転駆動装置の外観を示す図である。
【図３】図１のカップ型回転研磨工具の円筒状本体を示す斜視図である。
【図４】図１のカップ型回転研磨工具の研磨布紙の裏面である内周面を示す図である。
【図５】本考案の他の実施例のカップ型回転研磨工具の円筒状本体を示す斜視図であって、図３に対応する図である。
【考案を実施するための形態】
【００１７】
以下、本考案の一実施例を図面を参照して詳細に説明する。
【実施例１】
【００１８】
図１は、本考案の一実施例のカップ型回転研磨工具１０を示し、図２は、カップ型回転研磨工具１０が装着される携帯型回転駆動装置３０の外観を示している。図１において、カップ型回転研磨工具１０は、樹脂、アルミニウム或いは鉄等からなる円筒状本体１２と、円筒状本体１２の外周面に巻き付けられた研磨布紙１４とを備え、回転中心線Ｃまわりに回転駆動されることで、小径管材の内周嵌合面や小径穴の内周面などを研磨する。
【００１９】
円筒状本体１２は、回転中心線Ｃ方向の一端部が開放され、他端部がたとえば溶接された蓋部１６により一体的に閉じられ、蓋部１６には、たとえば図２の携帯型回転駆動装置３０のアダプタ３２内へ嵌め入れるためのストレート軸１８が回転中心線Ｃと同芯に設けられている。図３に詳しく示すように、円筒状本体１２には、円筒状本体１２を構成する外周壁１２ａを径方向すなわち厚み方向に貫通し且つ円筒状本体１２の回転中心線Ｃに平行な方向に長手状切欠き２０が形成されている。また、長手状の第１面ファスナ２２が、円筒状本体１２の内周面のうちの長手状切欠き２０に隣接する一対の面の少なくとも一方の面（本実施例では円筒状本体１２の内周面の全体）に接着剤などにより固着されている。さらに、長手状の第３面ファスナ２４が、円筒状本体１２の外周面全体に固着されている。
【００２０】
図４は、研磨布紙１４の内周面すなわち裏面を示している。研磨布紙１４は長手状を成しており、研磨布紙１４の裏面には、その両端部１４ａ，１４ｂに接着剤或いは縫目などにより固着された一対の第２面ファスナ２６と、それら一対の第２面ファスナ２６の間に位置する第４面ファスナ２８とが、接着剤或いは縫目などにより固着されている。それら第２面ファスナ２６と第４面ファスナ２８との間には、円筒状本体１２の外周壁１２ａの肉厚Ｄ２以上の間隔Ｄ１が設けられている。この間隔Ｄ１は、ファスナがなく、相対的に薄くされている。
【００２１】
上記第１面ファスナ２２と第２面ファスナ２６とは、着脱可能ではあるが所定の接着力で接着可能な構造を有した対を成すものである。また、第３面ファスナ２４と第４面ファスナ２８とは、着脱可能ではあるが所定の接着力で接着可能な構造を有した対を成すものである。これらのファスナは、たとえば、対を成す一方のファスナは基材上がフック状、マッシュルーム状、或いは鋸歯状に起毛されたものであり、他方のファスナは基材上にループ状に密集して起毛されたものである。また、一方のファスナの基材および他方のファスナの基材に、フック状の起毛およびループ状の密集した起毛の両方がそれぞれ設けられたものでもよい。
【００２２】
研磨布紙１４は、天然繊維、合成繊維、炭素繊維から選択された１または２以上の繊維から成る、不織布、織布または多層構造の複合シート剤などの可撓性シート部材から成る基層と、基層の表面に砥粒が固着されて成る砥粒層との積層体から構成され、可撓性を有している。第２面ファスナ２６と第４面ファスナ２８は、研磨布紙１４の裏面側に位置している基層に固着されている。
【００２３】
図１に示すように、研磨布紙１４は、その端部１４ａ，１４ｂは長手状切欠き２０を通して円筒状本体１２内に引き込まれた状態で、その端部１４ａ，１４ｂに固着された第２面ファスナ２６が円筒状本体１２の内周面に固着された第１面ファスナ２２と着脱可能に接着させられることで、円筒状本体１２の外周面に装着される。この状態では、研磨布紙１４の内周面に固着されている第４面ファスナ２８も円筒状本体１２の外周面に固着されている第３面ファスナ２４に接着されることで、研磨布紙１４が一層安定的に円筒状本体１２に装着される。
【００２４】
このように構成されたカップ型回転研磨工具１０によれば、円筒状本体１２の外周側に巻き付けられた研磨布紙１４により研磨を行なうカップ型回転研磨工具１０であって、円筒状本体１２の外周壁１２ａを貫通し且つ円筒状本体１２の回転中心線Ｃに平行な方向に形成された長手状切欠き２０と、円筒状本体１２の内周面のうちの長手状切欠き２０に隣接する面に固着された第１面ファスナ２２と、研磨布紙１４の内周面の端部１４ａ，１４ｂに固着され、研磨布紙１４の端部１４ａ，１４ｂが長手状切欠き２０を通して円筒状本体１２内に引き込まれた状態で第１面ファスナ２２と接着させられる第２面ファスナ２６とが、設けられている。このため、カップ型回転研磨工具１０の回転により発生する遠心力が研磨布紙１４の端部１４ａ，１４ｂを円筒状本体１２の内周面に押しつけることから、研磨布紙１４の端部１４ａ，１４ｂの第２面ファスナ２６と円筒状本体１２の内周面に固着された第１面ファスナ２２との間の接着力が高められるので、研磨作業中において研磨布紙１４のはがれにくいカップ型回転研磨工具１０が得られる。その結果、研磨布紙１４を容易に交換でき、低コストで切れ味のよい研磨作業が可能となる。
【００２５】
本実施例のカップ型回転研磨工具１０によれば、第２面ファスナ２６は、研磨布紙１４の内周面の両端部１４ａ，１４ｂにそれぞれ固着された一対の面ファスナである。これにより、研磨布紙１４の両端部１４ａ，１４ｂにそれぞれ設けられた第２面ファスナ２６が、円筒状本体１２の内周面のうちの少なくとも長手状切欠き２０に隣接する一対の面に固着された第１面ファスナ２２に固定されるので、研磨布紙１４の円筒状本体１２の外周面からの浮きがなく、研磨布紙１４の巻回状態が安定する。
【００２６】
本実施例のカップ型回転研磨工具１０によれば、円筒状本体１２の外周面に固着された第３面ファスナ２４と、研磨布紙１４の内周面のうちの一対の第２面ファスナ２６の間に固着され、研磨布紙１４が円筒状本体１２の外周側に巻き付けられた状態で第３面ファスナ２４と接着させられる第４面ファスナ２８とが、設けられている。このため、研磨布紙１４は、円筒状本体１２の外周面に全面的に接着させられるので、円筒状本体１２の外周面からの研磨布紙１４の浮きがなく、研磨布紙１４の巻回状態が安定する。また、第３面ファスナ２４および第４面ファスナ２８がクッション機能を有するので、研磨作業中の飛び跳ねが緩和されて研磨作業が容易となる。
【００２７】
本実施例のカップ型回転研磨工具１０によれば、円筒状本体１２の外周面と、研磨布紙１４の内周面のうちの一対の第２面ファスナ２６の間の内周面との少なくとも一方には、人工皮革が固着されている。このため、研磨布紙１４の内周面および円筒状本体１２の外周面に第４面ファスナ２８および第３面ファスナ２４がなくても、クッション性が得られるので、カップ型回転研磨工具１０の作業中の飛び跳ねが緩和されて作業が容易となる。
【００２８】
本実施例のカップ型回転研磨工具１０によれば、円筒状本体１２は、回転中心線方向の一端部が開放され、他端部が蓋部１６により閉じられ、蓋部１６には、携帯型回転駆動装置３０へ取り付けるためのストレート軸１８が回転中心線Ｃと同芯に設けられている。このため、作業者が用いる携帯型回転駆動装置３０に備えられたアダプタ３２に差し入れることで、容易に装着することができる。
【００２９】
本実施例のカップ型回転研磨工具１０によれば、研磨布紙１４の内周面において、研磨布紙１４の長手方向において研磨布紙１４の端部１４ａ，１４ｂに設けられた一対の第２面ファスナ２６と、一対の第２面ファスナ２６との間に設けられた第４面ファスナ２８との間には、円筒状本体１２の外周壁１２ａの肉厚Ｄ２以上の間隔Ｄ１が設けられている。このため、研磨布紙１４が円筒状本体１２の外周面に巻き付けられ、研磨布紙１４の端部１４ａが円筒状本体１２に形成された長手状切欠き２０を通して円筒状本体１２の内周側へ折り込まれるとき、面ファスナがなく厚みが小さな間隔Ｄ１の存在により、曲率半径が小さくされるので、円筒状本体１２の外周面からの研磨布紙１４の浮きがなく、研磨布紙１４の巻回状態が安定する。
【００３０】
続いて、本考案の他の実施例を図面に基づいて詳細に説明する。なお、以下の説明において、前述の実施例と共通する部分については同一の符号を付して説明を省略する。
【実施例２】
【００３１】
図５は、本考案の他の実施例のカップ型回転研磨工具５０の円筒状本体５２を示す斜視図であって、図３に対応する図である。本実施例の円筒状本体５２では、その円筒状本体５２を構成する外周壁５２ａの長手状切欠き２０に隣接した位置には、一対の肉厚部５４が形成され、肉厚部５４の長手状切欠き２０側の肉厚は、長手状切欠き２０から周方向に離れるほど大きくなり、肉厚部５４の長手状切欠き２０側の内周面の径は、長手状切欠き２０から周方向に離れるほど小さくなるように形成されている。肉厚部５４の内面は平坦面であって、第１面ファスナ２２がそれぞれ接着されている。
【００３２】
これにより、研磨布紙１４の端部が円筒状本体５２に形成された長手状切欠き２０を通して円筒状本体５２の内周側に折り込まれるとき、研磨布紙１４の曲率半径が大きい状態で第２面ファスナ２６が第１面ファスナ２２と接着させられるので、円筒状本体５２が小径であっても、或いは研磨布紙１４の裏面の両端部に設けられた一対の第２面ファスナ２６と第４面ファスナ２８との間に円筒状本体５２の外周壁５２ａの肉厚以上の間隔が設けられていなくても、円筒状本体５２の外周面からの研磨布紙１４の浮きがなく、研磨布紙１４の巻回状態が安定するという利点がある。
【００３３】
以上、本考案の一実施例を図面に基づいて説明したが、本考案はその他の態様においても適用される。
【００３４】
たとえば、前述の実施例のカップ型回転研磨工具１０，５０において、第１面ファスナ２２は、円筒状本体１２の内周面全体に設けられた長手状の一体ものであったが、円筒状本体１２の内周面のうちの長手状切欠き２０に隣接する一対の面に局所的に固着されたものであってもよい。
【００３５】
前述の実施例のカップ型回転研磨工具１０，５０において、研磨布紙１４の裏面の両端部１４ａ，１４ｂには、一対の第２面ファスナ２６が設けられていたが、両端部１４ａ，１４ｂのうちの一方の端部に第２面ファスナ２６が局所的に設けられていてもよい。この場合、好適には、研磨布紙１４の裏面の両端部１４ａ，１４ｂのうちカップ型回転研磨工具１０の回転方向の上流側に対応する端部に１つの第２面ファスナ２６が設けられる。
【００３６】
前述の実施例のカップ型回転研磨工具１０，５０において、研磨布紙１４の裏面には、第２面ファスナ２６と第４面ファスナ２８との間に間隔Ｄ１が設けられていたが、必ずしも間隔Ｄ１はなくてもよい。この場合、第２面ファスナ２６と第４面ファスナ２８とは、連続した一体もののファスナで構成されてもよい。
【００３７】
また、前述の実施例のカップ型回転研磨工具１０，５０において、第３面ファスナ２４および第４面ファスナ２８は必ずしも設けられなくてもよく、或いは第３面ファスナ２４および第４面ファスナ２８の少なくとも一方に替えて、同様のクッション性を有する人工皮革が設けられてもよい。
【００３８】
また、前述の実施例のカップ型回転研磨工具１０，５０において、円筒状本体１２の蓋部１６には、携帯型回転駆動装置３０のアダプタ３２へ取り付けるためのストレート軸１８が回転中心線Ｃと同芯に設けられていたが、そのストレート軸１８に替えて、他の形式の回転駆動装置のアダプタの仕様に適したねじ軸、または取付穴が回転中心線Ｃと同芯に設けられていてもよい。
【００３９】
なお、上述したのはあくまでも一実施形態であり、その他一々例示はしないが、本考案は、その主旨を逸脱しない範囲で当業者の知識に基づいて種々変更、改良を加えた態様で実施することができる。
【符号の説明】
【００４０】
１０，５０：カップ型回転研磨工具
１２，５２：円筒状本体
１２ａ：外周壁
１４：研磨布紙
１６：蓋部
１８：ストレート軸
２０：長手状切欠き
２２：第１面ファスナ
２４：第３面ファスナ
２６：第２面ファスナ
２８：第４面ファスナ
３０：携帯型回転駆動装置（回転駆動装置）
３２：アダプタ
【図１】
0003226314.tif 000003
【図２】
0003226314.tif 000004
【図３】
0003226314.tif 000005
【図４】
0003226314.tif 000006
【図５】
0003226314.tif 000007